(57)【要約】【課題】  災害時に年間を通して快適に利用できる災害用毛布、および災害用備蓄毛布を提供することを目的とする。【解決手段】  災害用毛布１００の一方側面に設けられた接触温感面１１０が、使用する被災者や避難者と接触することで人に温感を与え、災害用毛布１００の他方側面に設けられた接触冷感面１２０が、使用する被災者や避難者と接触することで人に冷感を与える。  また、接触温感面１１０と接触冷感面１２０とを備えた災害用毛布１００を、真空包装袋が、災害用毛布を被覆して内部を真空状態にすることでカビなどを防止し、災害用毛布１００を備蓄することができる。【選択図】図１
0003222013.tif 000002
【実用新案登録請求の範囲】
【請求項１】
災害時に使用される災害用毛布において、
一方側面に設けられて使用する人と接触することで前記人に温感を与える接触温感面と、
他方側面に設けられて使用する人と接触することで前記人に冷感を与える接触冷感面と、
を備えることを特徴とする災害用毛布。
【請求項２】
前記接触冷感面は、
高吸熱性、高伝導率、および高散熱性を備えた接触冷感繊維で形成されること、
を特徴とする請求項１記載の災害用毛布。
【請求項３】
前記接触温感面は、
保温性の高い繊維素材で形成されること、
を特徴とする請求項１記載の災害用毛布。
【請求項４】
前記接触温感面は、
吸湿することで発熱する吸湿発熱素材で形成されること、
を特徴とする請求項１記載の災害用毛布。
【請求項５】
前記接触温感面、前記接触冷感面のうち少なくとも一方に防炎加工が施されていること、
を特徴とする請求項１記載の災害用毛布。
【請求項６】
前記接触温感面、前記接触冷感面のうち少なくとも一方は、難燃加工された繊維素材で形成されていること、
を特徴とする請求項１記載の災害用毛布。
【請求項７】
前記接触温感面は、
暖かさや熱さを連想させる暖色で着色されていること、
を特徴とする請求項１記載の災害用毛布。
【請求項８】
前記接触冷感面は、
寒さや冷たさを連想させる寒色で着色されていること、
を特徴とする請求項１記載の災害用毛布。
【請求項９】
災害時に使用される災害用備蓄毛布において、
一方側面に設けられて使用する人と接触することで前記人に温感を与える接触温感面と、
他方側面に設けられて使用する人と接触することで前記人に冷感を与える接触冷感面と、
を備える災害用毛布と、
前記災害用毛布を被覆して内部を真空状態にする真空包装袋と、
を備えることを特徴とする災害用備蓄毛布。
【考案の詳細な説明】
【技術分野】
【０００１】
本考案は、毛布、および備蓄毛布に関し、特に災害時に使用される毛布、および備蓄毛布に関する。
【背景技術】
【０００２】
従来、日本は地震大国と呼ばれるほど地震が多い国であり、地震に対する様々な備えが不可欠となっている。東北地方および東日本にわたって未曾有の災害をもたらした東日本大震災では、被災後８年を経過しようとしているが復興は今なお途上にある。
【０００３】
災害時、避難を支える最も重要なアイテムが毛布とされており、災害時に備え各市町村などの自治体が大量に毛布を備蓄している。
たとえば、毛布は布団として使用することはもちろん、被災者や避難者の体温を維持して防寒のためにくるまったり、クッション性があるために被災者や避難者の頭などを落下物から守ったりすることもできる。
【０００４】
災害時は、ガラスの破片が散乱していたり、上部から落ちてきたりするものから頭や身体を守ることが非常に大切である。ヘルメットのような頭を衝撃から守るための保護帽がない場合は、毛布を下に敷いたり、毛布を頭にかぶせたりすることでヘルメットの代用にすることができる。他にも、けが人を運ぶときの担架として利用することもできる。
【０００５】
さらに、被災者や避難者が毛布をまとうことで、被災者や避難者が存在していることや、被災者や避難者が存在している位置を救護者に明確に認識させるための毛布が提案されている（たとえば、特許文献１参照）。
【０００６】
たとえば、特許文献１で開示された毛布では、保温毛布生地の少なくとも外面の一部が、蓄光材料を含んだ繊維で構成されている。具体的には、蓄光材料を含んだ繊維は、毛布生地の幅方向にストライプ状に設けられている。
【０００７】
これにより、蓄光材料を含んだ繊維が光の乏しい場所や室内で発光するため、救護者が被災者や避難者の数や状況を認識でき、夜間における二次的避難時の被災者の誘導や全員の移動確認を容易にできるようになる。
【先行技術文献】
【特許文献】
【０００８】
【特許文献１】特開２００１−２９９５３５号公報
【考案の概要】
【考案が解決しようとする課題】
【０００９】
しかし、夏の暑い時期に毛布は、非常に不快になるという問題があった。
上記のように、毛布は冬場の寒い時期に被災者や避難者の体温を維持して防寒のためにくるまるだけのものではない。被災者や避難者の身体を落下物などの衝撃から守るために利用されることも多々ある。
【００１０】
毛布は、綿やウールなどの縮れた繊維素材が複雑に絡み合うことで、空気を多く含んだ層が形成され、外気の寒さを遮断することができる。このため毛布は保温性が高い。ところが、保温性の高い毛布を、夏場の暑い時期に頭からかぶって避難することは非常に不快である。
このため、特許文献１で開示された毛布のように、保温毛布生地の少なくとも外面の一部が、蓄光材料を含んだ繊維で構成されることで、救護者が被災者や避難者の数や状況を認識できたとしても、暑さのため不快になり特許文献１で開示された毛布を使用しなくなった場合では、被災者や避難者の数や状況を救護者が正しく認識することはできない。
【００１１】
また、毛布をかぶることが暑くて不快なため、毛布をかぶらずに避難する避難者が続出してしまうことで、上部から落ちてきたガラスやコンクリート破片などでケガをする被災者や避難者を増加させる問題もある。
【００１２】
また夏になると、日照時間が増えることで、日中の熱が熱容量の大きいアスファルトなどの地面や、コンクリートなどの建設物に蓄積される。これらの日中に蓄積された熱が、日没後に放熱されることで、夜間にも気温が下がらない熱帯夜となることがある。
【００１３】
このような熱帯夜に、被災者や避難者が毛布をかぶって寝ることは、不快なだけでなく、熱中症や脱水症状に陥る危険性もある。このような熱帯夜に毛布をかぶらずに寝ていると、落下物でケガをする危険性や、明け方の気温低下により体温が奪われ、風邪をひいてしまうことも考えられる。
【００１４】
本考案はこのような点に鑑みてなされたものであり、災害時に年間を通して快適に利用できる災害用毛布、および災害用備蓄毛布を提供することを目的とする。
【課題を解決するための手段】
【００１５】
本考案では上記問題を解決するために、災害時に使用される災害用毛布において、一方側面に設けられて使用する人と接触することで前記人に温感を与える接触温感面と、他方側面に設けられて使用する人と接触することで前記人に冷感を与える接触冷感面とを備えることを特徴とする災害用毛布が提供される。
【００１６】
これにより、一方側面に設けられた接触温感面が、使用する人と接触することで人に温感を与え、他方側面に設けられた接触冷感面が、使用する人と接触することで人に冷感を与える。
【００１７】
また、本考案では、災害時に使用される災害用備蓄毛布において、一方側面に設けられて使用する人と接触することで前記人に温感を与える接触温感面と、他方側面に設けられて使用する人と接触することで前記人に冷感を与える接触冷感面とを備える災害用毛布と、前記災害用毛布を被覆して内部を真空状態にする真空包装袋と、を備えることを特徴とする災害用備蓄毛布が提供される。
【００１８】
これにより、災害用毛布では、一方側面に設けられた接触温感面が、使用する人と接触することで人に温感を与え、他方側面に設けられた接触冷感面が、使用する人と接触することで人に冷感を与え、真空包装袋が、災害用毛布を被覆して内部を真空状態にする。
【考案の効果】
【００１９】
本考案の災害用毛布、および災害用備蓄毛布によれば、一方側面に設けられた接触温感面が、使用する人と接触することで人に温感を与え、他方側面に設けられた接触冷感面が、使用する人と接触することで人に冷感を与えるので、冬などの寒い時期には接触温感面を接触させることで暖かさを感じることができ、夏などの暑い時期には接触冷感面を接触させることで冷たさを感じることができ、災害時でも年間を通して快適に使用することができる。
【図面の簡単な説明】
【００２０】
【図１】本実施の形態に係る毛布の構成を示す斜視図である。
【図２】毛布の詳細を示す断面図である。
【図３】毛布の使用例を示す上面図である。
【図４】備蓄毛布の製造工程の一部である吸引工程を示す図である。
【図５】真空包装袋に収容された状態の毛布を示す図である。
【考案を実施するための形態】
【００２１】
以下、本考案の実施の形態を、図面を参照して詳細に説明する。
図１は、本実施の形態に係る毛布の構成を示す斜視図である。
図１に示すように、災害用毛布１００は、災害時に被災者や避難者に配布されて使用される毛布であって、災害用毛布１００の一方側の面全体に設けられた接触温感面１１０、および災害用毛布１００の他方側の面全体に設けられた接触冷感面１２０を備えている。
【００２２】
災害用毛布１００は、たとえば幅１４５０ｍｍ×長さ１９００ｍｍの人の身体を十分に覆うことのできる毛布であり、災害時に被災者や避難者が災害用毛布１００をかぶることで、身体を休めたり、落下物などから身体を守ったりするためのものである。
【００２３】
災害用毛布１００の一方側の面に設けられた接触温感面１１０は、たとえば人と接触する表側にマイクロファイバーなどの細かい繊維で起毛が設けられたサンゴマイヤー生地で形成されている。また災害用毛布１００の他方側の面に設けられた接触冷感面１２０は、たとえば人と接触することで人がヒンヤリと感じることのできる接触冷感生地で形成されている。
これらのサンゴマイヤー生地で形成された接触温感面１１０と、接触冷感生地で形成された接触冷感面１２０と、が縫合されて災害用毛布１００が形成されている。
【００２４】
接触温感面１１０は、サンゴマイヤー生地のほか、フランネル、フリース、マイクロフリース、シープボア、綿などの保温性に優れた生地で形成することもできる。
この接触温感面１１０では、繊維により空気を多く含んだ層が形成され、外気の寒さを遮断することができる。これにより、被災者や避難者が接触温感面１１０を人と接触するように内側にして災害用毛布１００をかぶることで、冬場の外気の寒さから被災者や避難者の身体を守ることができる。
【００２５】
また、接触温感面１１０を形成する生地は、汗や湿気などの水分を吸収して発熱する吸湿発熱繊維で構成することもできる。従来から羊毛繊維や綿などは吸湿した水分が繊維表面の水酸基などに吸着し、運動エネルギーが熱エネルギーに変換されることで発熱することが知られている。
【００２６】
この羊毛繊維や綿などの繊維をさらに細かくして表面積を増加させることで、水分の吸湿性能を高めた吸湿発熱繊維で接触温感面１１０を形成することで、より被災者や避難者の身体を温めることができる。
【００２７】
また、接触温感面１１０を暖かさや熱さを連想させる色で形成することで、より暖かさや安心感を被災者や避難者に与えることができる。暖かさや熱さを連想させる色の例としては、火や炎などを連想させる赤や橙系統の色などの暖色を使用するとよい。
【００２８】
接触冷感面１２０を形成する接触冷感生地は、たとえばナイロン、ポリエステル、ポリエチレン、レーヨン、キュプラなどの繊維中に多くの水分を含むことができ、熱伝導率や熱拡散率が高く、接触感が堅い素材で形成される。
【００２９】
このような接触冷感生地で形成された接触冷感面１２０に人が接触すると、接触した肌から接触冷感面１２０に瞬間的に体温が移動することで、人は冷たいと感じることができる。これにより、被災者や避難者が接触冷感面１２０を人と接触するように内側にして災害用毛布１００をかぶることで、夏場の暑い時期にでも、暑さを和らげながら毛布をかぶることができ、落下物などから身体を守ることができる。
【００３０】
また、接触冷感面１２０を寒さや冷たさを連想させる色で形成することで、より涼しさや快適感を被災者や避難者に与えることができる。寒さや冷たさを連想させる色の例としては、水や海などを連想させる青色系統の色などの寒色を使用するとよい。
【００３１】
なお、接触温感面１１０を暖かさや熱さを連想させる赤や橙系統の色などの暖色に、接触冷感面１２０を寒さや冷たさを連想させる青色系統の色などの寒色にすることで、接触温感面１１０と接触冷感面１２０とを明確に識別することができる。
【００３２】
なお、接触温感面１１０、接触冷感面１２０のうち少なくとも一方側の綿に、防炎加工を施すことで、災害時の火災などの火から災害用毛布１００をかぶることで被災者や避難者の身体を守ることができる。
【００３３】
たとえば、サンゴマイヤー生地で形成された接触温感面１１０や、接触冷感生地で形成された接触冷感面１２０を防炎加工座薬剤などで浸漬した後に、ロール圧縮乾燥機などで防炎加工座薬剤を絞り、乾燥させることで防炎加工を施すことができる。
【００３４】
このほか、接触温感面１１０や接触冷感面１２０を形成する生地を、糸や繊維の段階でハロゲン系化合物などの不燃性の難燃剤を付着させることで、接触温感面１１０や接触冷感面１２０を燃えにくい状態にすることもできる。
【００３５】
なお、図１では災害用毛布１００の他方側の面全体に接触冷感面１２０が設けられる例で示したが、接触冷感面１２０を災害用毛布１００の他方側の面一部、人と接触する主な部分のみに設けるようにしてもよい。
【００３６】
図２は、毛布の詳細を示す断面図である。
図２に示すように、災害用毛布１００の一方側の綿には接触温感面１１０が、災害用毛布１００の他方側の綿には接触冷感面１２０が設けられ、接触温感面１１０と接触冷感面１２０とは縫合によって結合されている。なお、縫合による結合だけでなく、接触温感面１１０と接触冷感面１２０とを接着剤や熱圧着などで接着するようにしてもよい。
【００３７】
夏場の暑い時期には、被災者や避難者が接触冷感面１２０を人と接触する内側面にして災害用毛布１００をかぶる。接触冷感面１２０は熱伝導率や熱拡散率が高い素材で形成されているため、人と接触した部分の熱が接触冷感面１２０に移動し、接触冷感面１２０全体に広がっていく。このため、被災者や避難者は夏場の暑い時期でも涼しく感じることができ、快適に災害用毛布１００を使用することができる。
【００３８】
また災害用毛布１００をかぶるだけでなく、地面などに接触冷感面１２０を上にして敷き、その上に被災者や避難者が寝るようにすることもできる。さらにこの状態で、他の災害用毛布１００の接触冷感面１２０を下側にしてかぶるようにしてもよい。
【００３９】
冬場の寒い時期には、被災者や避難者が接触温感面１１０を人と接触する内側面にして災害用毛布１００をかぶる。接触温感面１１０は空気を多く含むことのできる繊維素材であるサンゴマイヤー生地で形成されているため、繊維により空気を多く含んだ層が形成され、外気の寒さを遮断することができる。
【００４０】
さらに接触温感面１１０の上層には接触冷感面１２０が縫合されているため、２枚の生地により被災者や避難者を覆うことができる。これにより１枚の毛布で覆うよりも保温性を向上させることができ、冬場の厳しい寒さから被災者や避難者を守ることができる。
【００４１】
図３は、毛布の使用例を示す上面図である。
図３（１）に示すように、冬場の寒い時期には、被災者や避難者などの人２００が接触温感面１１０を人２００と接触する内側面にして災害用毛布１００をかぶる。これにより、被災者や避難者などの人２００は接触温感面１１０により保温され、接触冷感面１２０に触れることがないので、体温が接触冷感面１２０に移動して冷たく感じることはない。
【００４２】
図３（２）に示すように、夏場の暑い時期には、被災者や避難者などの人２００が接触冷感面１２０を人と接触する内側面にして災害用毛布１００をかぶる。これにより、被災者や避難者などの人２００は接触冷感面１２０と接することで冷感を得ることができ、接触温感面１１０に触れることがないので、体温が保温されて暑苦しく感じることはない。
【００４３】
図４は、備蓄毛布の製造工程の一部である吸引工程を示す図である。
図４に示すように、災害用毛布１００は折りたたまれ、折りたたまれた１枚または複数枚の災害用毛布１００が、まとめて内部をシンク状態にするための真空包装袋１３０の内部に収容される。
【００４４】
図４では、折りたたまれた１枚の災害用毛布１００を、１枚の真空包装袋１３０に収容したが、収容する災害用毛布１００の枚数は適宜変更してもよく、複数枚の災害用毛布１００をまとめて折りたたんだものを１枚の真空包装袋１３０に収容することもできる。
【００４５】
なお、真空包装袋１３０への収容前に、収容する災害用毛布１００の水分率を１％以下にする前処理を行うことで、災害用毛布１００のカビ、外注、異臭、染み、変色などを防止し、風合いを保つことができる。
【００４６】
真空包装袋１３０に災害用毛布１００を収容した後、吸引器３００で真空包装袋１３０の内部にある空気の吸引を行う。吸引器３００による空気の吸引は、９０秒から１２０秒程度吸引を行うことで、真空包装袋１３０内の空気が完全に吸引され、真空包装袋１３０の内部は完全に真空状態とすることができる。
【００４７】
真空包装袋１３０は、たとえばアルミ蒸着袋のように、蒸着材料が表面に積層された袋体であり、吸引器３００が備える圧着部３１０の動作により、真空包装袋１３０の内部を真空状態にしたまま真空包装袋１３０の開口部を閉口することができる。
【００４８】
図５は、真空包装袋に収容された状態の毛布を示す図である。
図５に示すように、真空包装袋１３０の内部が吸引器３００によって完全に真空状態になった後、吸引器３００が備える圧着部３１０の動作により、真空包装袋１３０の内部を真空状態にしたまま真空包装袋１３０の開口部が閉口され、蒸着により形成された蒸着部１３１により真空包装袋１３０は閉封される。
【００４９】
また、真空包装袋１３０がアルミ蒸着袋のようには蒸着ができない袋体の場合は、圧縮袋のように開口部付近に開口部を完全に変更可能なチャック部を設け、真空包装袋１３０の内部を真空状態にした後に、真空包装袋１３０の内部に空気が入り込まないようにチャック部で真空包装袋１３０を閉口することで、真空包装袋１３０の内部を真空状態のまま閉封することができる。
【００５０】
これにより、真空包装袋１３０の内部に真空状態で収容された災害用毛布１００は、空気に触れることなく内部の状態を維持することができる。このため、災害用毛布１００は空気中の水分を吸水することがないので、災害用毛布１００にカビの発生や、カビによる災害用毛布１００の腐食などがなくなり、収容された災害用毛布１００を長期的に安定して保存することができる。
【００５１】
また、長期保存しても災害用毛布１００は外気に触れることがないため劣化することがなく、閉口された蒸着部１３１を開口することで、真空包装袋１３０の内部に空気が入り、災害用毛布１００は素早く空気を含んだ状態になるので、非常時に災害用毛布１００を容易に使用することができる。
【００５２】
また、真空包装袋１３０の内部を真空状態にして密閉することにより、真空包装袋１３０の内部に収容された災害用毛布１００は圧縮され、災害用毛布１００全体の容積は小さくなる。これにより少ない保管スペースで災害用毛布１００を備蓄することができる。
【００５３】
また、上述の実施形態に関し、さらに以下の付記を開示する。
（付記１）
災害時に使用される災害用毛布において、
一方側面に設けられて使用する人と接触することで前記人に温感を与える接触温感面と、
他方側面に設けられて使用する人と接触することで前記人に冷感を与える接触冷感面と、
を備えることを特徴とする災害用毛布。
（付記２）
前記接触冷感面は、
高吸熱性、高伝導率、および高散熱性を備えた接触冷感繊維で形成されること、
を特徴とする付記１記載の災害用毛布。
（付記３）
前記接触温感面は、
保温性の高い繊維素材で形成されること、
を特徴とする付記１記載の災害用毛布。
（付記４）
前記接触温感面は、
吸湿することで発熱する吸湿発熱素材で形成されること、
を特徴とする付記１記載の災害用毛布。
（付記５）
前記接触温感面、前記接触冷感面のうち少なくとも一方に防炎加工が施されていること、
を特徴とする付記１記載の災害用毛布。
（付記６）
前記接触温感面、前記接触冷感面のうち少なくとも一方は、難燃加工された繊維素材で形成されていること、
を特徴とする付記１記載の災害用毛布。
（付記７）
前記接触温感面は、
暖かさや熱さを連想させる暖色で着色されていること、
を特徴とする付記１記載の災害用毛布。
（付記８）
前記接触冷感面は、
寒さや冷たさを連想させる寒色で着色されていること、
を特徴とする付記１記載の災害用毛布。
（付記９）
災害時に使用される災害用備蓄毛布において、
一方側面に設けられて使用する人と接触することで前記人に温感を与える接触温感面と、
他方側面に設けられて使用する人と接触することで前記人に冷感を与える接触冷感面と、
を備える災害用毛布と、
前記災害用毛布を被覆して内部を真空状態にする真空包装袋と、
を備えることを特徴とする災害用備蓄毛布。
（付記１０）
災害時に使用される災害用毛布の製造において、
一方側面に設けられて使用する人と接触することで前記人に温感を与える接触温感面と、
他方側面に設けられて使用する人と接触することで前記人に冷感を与える接触冷感面と、
を接合する工程、
を備えることを特徴とする災害用毛布の製造方法。
（付記１１）
災害時に使用される災害用備蓄毛布の製造方法において、
一方側面に設けられて使用する人と接触することで前記人に温感を与える接触温感面と、
他方側面に設けられて使用する人と接触することで前記人に冷感を与える接触冷感面と、
を接合して災害用毛布を形成する工程と、
真空包装袋で前記災害用毛布を被覆して内部を真空状態にする工程と、
を備えることを特徴とする災害用備蓄毛布の製造方法。
【符号の説明】
【００５４】
１００  災害用毛布
１１０  接触温感面
１２０  接触冷感面
１３０  真空包装袋
１３１  蒸着部
２００  人
３００  吸引器
３１０  圧着部
【図１】
0003222013.tif 000003
【図２】
0003222013.tif 000004
【図３】
0003222013.tif 000005
【図４】
0003222013.tif 000006
【図５】
0003222013.tif 000007